(57)【要約】【課題】焼き付きを抑えることができる表示装置を得る。【解決手段】画素輝度値に基づいて、画像領域において高輝度が継続している画素の累積輝度値を求め、その累積輝度値に基づいて補正対象画素を決定する決定部と、補正対象画素における画素輝度値を補正する補正部と、補正部において補正された画素輝度値に基づいて表示を行う表示部とを備える。上記決定部は、画像領域内の一部の部分領域とそれ以外の領域とで、互いに異なる方法により累積輝度値を求める。【選択図】図７
2014026003.tif 000002
【特許請求の範囲】
【請求項１】
画素輝度値に基づいて、画像領域において高輝度が継続している画素の累積輝度値を求め、その累積輝度値に基づいて補正対象画素を決定する決定部と、
前記補正対象画素における前記画素輝度値を補正する補正部と、
前記補正部において補正された画素輝度値に基づいて表示を行う表示部と
を備え、
前記決定部は、前記画像領域内の一部の部分領域とそれ以外の領域とで、互いに異なる方法により前記累積輝度値を求める
表示装置。
【請求項２】
前記累積輝度値は、前記画像領域を複数に区分してなるブロックごとの値であり、
前記補正対象画素は、前記累積輝度値が第１のしきい値を超えるブロックに属する複数の画素である
請求項１に記載の表示装置。
【請求項３】
前記決定部は、各ブロックにおいて、画素輝度値の合計値を求め、その合計値が第２のしきい値より大きい場合に前記累積輝度値を増加させ、その合計値が前記第２のしきい値以下の場合に前記累積輝度値をリセットする
請求項２に記載の表示装置。
【請求項４】
前記決定部は、各ブロックにおいて、画素輝度値の最大値を求め、その最大値が第２のしきい値より大きい場合に前記累積輝度値を増加させ、その最大値が前記第２のしきい値以下の場合に前記累積輝度値をリセットする
請求項２に記載の表示装置。
【請求項５】
前記部分領域は、前記ブロックを単位としてあらかじめ設定されたものである
請求項２に記載の表示装置。
【請求項６】
前記決定部は、前記累積輝度値を増加させる際、前記部分領域において、その部分領域以外の領域よりも多く増加させる
請求項５に記載の表示装置。
【請求項７】
前記決定部は、電源投入時において、前記部分領域における前記累積輝度値を所定の値に設定する
請求項５に記載の表示装置。
【請求項８】
各ブロックにおける前記累積輝度値を記憶するメモリをさらに備え、
前記部分領域は、前記メモリに記憶された累積輝度値により定まるものである
請求項２に記載の表示装置。
【請求項９】
前記決定部は、電源投入時において、各ブロックにおける前記累積輝度値を、前記メモリに記憶された累積輝度値に設定する
請求項８に記載の表示装置。
【請求項１０】
前記決定部は、前記メモリに記憶された累積輝度値が第３のしきい値より大きいブロックを前記部分領域として取得し、前記累積輝度値を増加させる際、前記部分領域において、その部分領域以外の領域よりも多く増加させる
請求項８に記載の表示装置。
【請求項１１】
前記決定部は、前記ブロック間の累積輝度値の相間関係を検出し、互いに相間があるブロックについては、そのいずれか１つのブロックにおいて前記累積輝度値を求める
請求項２に記載の表示装置。
【請求項１２】
前記決定部は、所定の時間帯において、前記部分領域とそれ以外の領域とで、互いに異なる方法で前記累積輝度値を求める
請求項１に記載の表示装置。
【請求項１３】
前記決定部は、前記部分領域を複数有し、その複数の部分領域のうちの１つに基づいて動作する
請求項１に記載の表示装置。
【請求項１４】
チューナをさらに備え、
前記決定部は、前記チューナにより選択されたチャンネルに応じて前記複数の部分領域のうちの１つを選択する
請求項１３に記載の表示装置。
【請求項１５】
１または複数の入力インタフェースをさらに備え、
選択された入力インタフェースに応じて前記複数の部分領域のうちの１つを選択する
請求項１３に記載の表示装置。
【請求項１６】
前記補正部は、前記補正対象画素における画素輝度値を低下させる補正を行う
請求項１に記載の表示装置。
【請求項１７】
画素輝度値に基づいて、画像領域において高輝度が継続している画素の累積輝度値を求め、その累積輝度値に基づいて補正対象画素を決定する決定部と、
前記補正対象画素における前記画素輝度値を補正する補正部と
を備え、
前記決定部は、前記画像領域内の一部の部分領域とそれ以外の領域とで、互いに異なる方法により前記累積輝度値を求める
画像処理装置。
【請求項１８】
画素輝度値に基づいて、画像領域内の一部の部分領域とそれ以外の領域とで互いに異なる方法により、高輝度が継続している画素の累積輝度値を求め、
前記累積輝度値に基づいて補正対象画素を決定し、
前記補正対象画素における前記画素輝度値を補正する
画像処理方法。
【発明の詳細な説明】
【技術分野】
【０００１】
本開示は、画像を表示する表示装置、およびそのような表示装置に用いられる画像処理装置ならびに画像処理方法に関する。
【背景技術】
【０００２】
近年、ＣＲＴ（Cathode Ray Tube）表示装置から有機ＥＬ（Electro- Luminescence）表示装置や液晶表示装置への置き換えが進んでいる。これらの表示装置は、ＣＲＴ表示装置に比べて薄くできるため省スペースを実現しやすく、また、消費電力が低いためエコロジーの観点からもメリットがある。特に、有機ＥＬ表示装置は、自発光のデバイスであることから、より薄くできるとともに、消費電力を低減することができ、多くの注目を集めている。
【０００３】
ところで、ＣＲＴ表示装置では、例えば同じ画像を長時間表示した場合に蛍光体の特性が変化し、その後の表示においてその画像が重ねて薄く表示されてしまう、いわゆる焼き付きと呼ばれる現象が生じるおそれがある。このような現象は、有機ＥＬ表示装置や液晶表示装置でも生じるおそれがある。例えば、有機ＥＬ表示装置では、画素（ＥＬ表示素子）の発光特性が発光輝度に応じて経時劣化する。具体的には、画素に大きな電流を印加し続けると、その後、同じ電流を印加しても輝度が低下してしまう。よって、例えば、特定の画素の発光頻度が高い場合には、その画素の発光特性が変化してしまうため、焼き付きが生じるおそれがある。
【０００４】
このような焼き付きを抑える方法について、様々な提案がなされている。例えば、特許文献１には、表示装置の全画素のうち、累積発光量が少ない画素の輝度信号を補正し、画素の劣化の程度をそろえるように制御する表示装置が開示されている。また、特許文献２には、複数のフレーム画像に基づいて累積発光量を求め、その累積発光量に基づいて輝度信号を補正する表示装置が開示されている。
【先行技術文献】
【特許文献】
【０００５】
【特許文献１】特開２００５−２７５１８１号公報
【特許文献２】特開２０１０−１３９７８２号公報
【発明の概要】
【発明が解決しようとする課題】
【０００６】
このように、表示装置では、焼き付きを抑えることが望まれており、焼き付きのさらなる低減が期待されている。
【０００７】
本開示はかかる問題点に鑑みてなされたもので、その目的は、焼き付きを抑えることができる表示装置、画像処理装置、および画像処理方法を提供することにある。
【課題を解決するための手段】
【０００８】
本開示の表示装置は、決定部と、補正部と、表示部とを備えている。決定部は、画素輝度値に基づいて、画像領域において高輝度が継続している画素の累積輝度値を求め、その累積輝度値に基づいて補正対象画素を決定するものである。補正部は、補正対象画素における画素輝度値を補正するものである。表示部は、補正部において補正された画素輝度値に基づいて表示を行うものである。上記決定部は、画像領域内の一部の部分領域とそれ以外の領域とで、互いに異なる方法により累積輝度値を求めるものである。
【０００９】
本開示の画像処理装置は、決定部と、補正部とを備えている。決定部は、画素輝度値に基づいて、画像領域において高輝度が継続している画素の累積輝度値を求め、その累積輝度値に基づいて補正対象画素を決定するものである。補正部は、補正対象画素における画素輝度値を補正するものである。上記決定部は、画像領域内の一部の部分領域とそれ以外の領域とで、互いに異なる方法により累積輝度値を求めるものである。
【００１０】
本開示の画像処理方法は、画素輝度値に基づいて、画像領域内の一部の部分領域とそれ以外の領域とで互いに異なる方法により、高輝度が継続している画素の累積輝度値を求め、  累積輝度値に基づいて補正対象画素を決定し、補正対象画素における画素輝度値を補正するものである。
【００１１】
本開示の表示装置、画像処理装置、および画像処理方法では、画素輝度値に基づいて、高輝度が継続している画素の累積輝度値が求められ、その累積輝度値に基づいて、補正対象画素が決定される。その際、累積輝度値は、部分領域とそれ以外の領域とで、互いに異なる方法により求められる。
【発明の効果】
【００１２】
本開示の表示装置、画像処理装置、および画像処理方法によれば、部分領域とそれ以外の領域とで、互いに異なる方法で累積輝度値を求めるようにしたので、焼き付きを抑えることができる。
【図面の簡単な説明】
【００１３】
【図１】本開示の第１および第２の実施の形態に係る表示装置の一構成例を表すブロック図である。
【図２】図１に示したＥＬ表示部の一構成例を表すブロック図である。
【図３】図１に示したＥＬ表示部に係るブロックの一構成例を表す説明図である。
【図４】図１に示した表示装置における表示画像の一例を表す説明図である。
【図５】設定領域の一例を表す説明図である。
【図６】累積マップの一例を表す説明図である。
【図７】第１の実施の形態に係る累積マップにおける累積値の一例を表すタイミング図である。
【図８】図１に示したゲイン算出部の一動作例を表す説明図である。
【図９】第１の実施の形態の変形例に係る累積マップにおける累積値の一例を表すタイミング図である。
【図１０】第１の実施の形態の他の変形例に係る表示装置の一構成例を表すブロック図である。
【図１１】第２の実施の形態に係る累積マップにおける累積値の一例を表すタイミング図である。
【図１２】第２の実施の形態の変形例に係る累積マップにおける累積値の一例を表すタイミング図である。
【図１３】第３および第４の実施の形態に係る表示装置の一構成例を表すブロック図である。
【図１４】第５の実施の形態に係る累積マップ生成部の一動作例を説明するための説明図である。
【図１５】第５の実施の形態に係る累積マップ生成部の一動作例を表す説明図である。
【図１６】実施の形態に係る表示装置が適用されたテレビジョン装置の外観構成を表す斜視図である。
【図１７】変形例に係るＥＬ表示部の一構成例を表すブロック図である。
【発明を実施するための形態】
【００１４】
以下、本開示の実施の形態について、図面を参照して詳細に説明する。なお、説明は以下の順序で行う。
１．第１の実施の形態
２．第２の実施の形態
３．第３の実施の形態
４．第４の実施の形態
５．適用例
【００１５】
＜１．第１の実施の形態＞
［構成例］
（全体構成例）
図１は、第１の実施の形態に係る表示装置の一構成例を表すものである。表示装置１は、表示素子として有機ＥＬ表示素子を用いたＥＬ表示装置である。なお、本開示の実施の形態に係る画像処理装置および画像処理方法は、本実施の形態により具現化されるので、併せて説明する。表示装置１は、入力部１０と、画像処理部２０と、ＥＬ表示部３０とを備えている。
【００１６】
入力部１０は、チューナ１１と、インタフェース部１２と、切り換え部１３とを有している。チューナ１１は、アンテナ９において受信された放送波から、所望の放送映像の信号を選択するものである。インタフェース部１２は、外部機器（図示せず）から供給された画像信号を入力するインタフェースであり、例えばＨＤＭI（High-Definition Multimedia Interface）信号を入力するインタフェースが使用可能である。切換部１３は、チューナ１１から供給された画像信号と、インタフェース部１２から供給された画像信号を選択し、画像信号Ｓｐ０として出力するものである。この画像信号Ｓｐ０は、赤色（Ｒ）、緑色（Ｇ）、青色（Ｂ）の３色の輝度信号ＩＲ，ＩＧ，ＩＢを含むＲＧＢ信号である。
【００１７】
画像処理部２０は、後述するように、入力部１０から供給された画像信号Ｓｐ０に対して、ＥＬ表示部３０における焼き付きを抑えるための処理を行うことにより、画像信号Ｓｐ１を生成するものである。画像処理部２０は、この例では、１チップ内に構成されたものである。なお、これに限定されるものではなく、複数のチップにより構成してもよい。
【００１８】
ＥＬ表示部３０は、表示素子として有機ＥＬ表示素子を用いた表示部であり、画像信号Ｓｐ１に基づいて表示動作を行うものである。
【００１９】
図２は、ＥＬ表示部３０の一構成例を表すものである。ＥＬ表示部３０は、画素アレイ部３３と、垂直駆動部３１と、水平駆動部３２とを有している。画素アレイ部３３は、画素Ｐixがマトリックス状に配置されたものである。この例では、各画素Ｐixは、赤色（Ｒ）、緑色（Ｇ）、および青色（Ｂ）の３つのサブ画素ＳＰixにより構成されている。垂直駆動部３１は、画像処理部２０から供給される画像信号Ｓｐ１に基づいて走査信号を生成し、ゲート線ＧＣＬを介して画素アレイ部３３に供給することにより、画素アレイ部３３内のサブ画素ＳＰixをラインごとに順次選択して、線順次走査するものである。水平駆動部３２は、画像信号Ｓｐ１に基づいて画素信号を生成し、データ線ＳＧＬを介して画素アレイ部３３に供給することにより、画素アレイ部３３の各サブ画素ＳＰixへ画素信号を供給するものである。
【００２０】
（画像処理部２０）
画像処理部２０は、輝度取得部２１と、ブロック処理部２２と、判定部２３と、設定領域記憶部２４と、累積マップ生成部２５と、ゲイン算出部２６と、信号処理部２７とを有している。
【００２１】
輝度取得部２１は、画像信号Ｓｐ０に基づいて、画素Ｐixごとの輝度情報Ｌを取得するものである。具体的には、輝度取得部２１は、以下の式に基づいて、画素Ｐixごとに輝度情報Ｌを取得する。
Ｌ＝Ｍａｘ（ＩＲ×ＡＲ，ＩＧ×ＡＧ，ＩＢ×ＡＢ）・・・（１）
ここで、ＡＲ，ＡＧ，ＡＢは、それぞれ、赤色（Ｒ）、緑色（Ｇ）、および青色（Ｂ）の３つのサブ画素ＳＰixの発光効率に対応する係数である。また、Ｍａｘ（ＩＲ×ＡＲ，ＩＧ×ＡＧ，ＩＢ×ＡＢ）は、３つの引数（ＩＲ×ＡＲ，ＩＧ×ＡＧ，ＩＢ×ＡＢ）のうちの最大のものを得るものである。輝度取得部２１は、この式（１）を用いて、画素Ｐixごとの輝度情報Ｌを取得するようになっている。
【００２２】
ブロック処理部２２は、画素Ｐixごとの輝度情報Ｌに基づいて、複数の画素ＰixからなるブロックＢごとのブロック輝度情報ＬＢを求めるものである。
【００２３】
図３は、ブロックＢの一構成例を表すものである。画素アレイ部３３では、この例では、６４個（＝８×８）の画素ＰixがブロックＢをそれぞれ構成している。ブロック処理部２２は、ブロックＢのそれぞれに属する画素Ｐixの輝度情報Ｌの合計値を算出することにより、ブロック輝度情報ＬＢを求めるようになっている。なお、この例では、ブロック輝度情報ＬＢは、各ブロックＢにおける輝度情報Ｌの合計値としたが、これに限定されるものではなく、これに代えて、例えば輝度情報Ｌの平均値でもよいし、輝度情報Ｌの最大値でもよい。
【００２４】
判定部２３は、ブロック処理部２２が求めたブロック輝度情報ＬＢを所定の閾値ＬＢthと比較し、その比較結果を出力するものである。閾値ＬＢthは、焼き付きが生じる目安として設定されたものである。よって、ブロック輝度情報ＬＢがこの閾値ＬＢthよりも大きい状態が長い時間続くことにより、そのブロックＢに属する画素Ｐixにおいて焼き付きが生じるおそれがある。判定部２３は、このように、ブロックＢごとに、焼き付きが生じるリスクを判定するようになっている。
【００２５】
設定領域記憶部２４は、焼き付きが生じやすいと予想されるブロックＢを、設定領域Ｒsetとしてあらかじめ記憶しておくものである。
【００２６】
図４は、ＥＬ表示部３０に表示される表示画像の一例を表すものである。例えば、朝の時間帯には、図４に示したように、表示画像の一部（この例では左上）に時刻がしばしば表示される。このような時刻の表示は、例えば白色でなされ、その時刻表示に係る画素Ｐixは、比較的長い時間において高輝度で発光することとなる。よって、これらの画素Ｐixでは、焼き付きが生じやすいと考えられる。設定領域記憶部２４は、このように焼き付きが生じやすいと考えられる画素Ｐixを含む領域を、設定領域Ｒsetとしてあらかじめ記憶している。
【００２７】
図５は、図４の部分Ｗ１における設定領域Ｒsetの一例を表すものである。この例では、時刻表示に係る複数のブロックＢが設定領域Ｒsetとして設定されている。すなわち、設定領域Ｒsetは、ブロックＢを単位として設定されるものである。この設定領域Ｒsetは、この例では、表示装置１の製造時にあらかじめ設定されるものである。なお、これに限定されるものではなく、例えば、ユーザが自由に設定できるように構成してもよい。
【００２８】
累積マップ生成部２５は、判定部２３から供給される、ブロック輝度情報ＬＢと閾値ＬＢthとの比較結果に基づいて、累積マップＭＡＰを生成するものである。
【００２９】
図６は、累積マップＭＡＰの一例を表すものである。累積マップＭＡＰは、ブロックＢごとの累積値Ｄからなるマップである。累積値Ｄは、そのブロックＢにおいて高輝度が継続しているほど高い値を示すものである。
【００３０】
累積マップ生成部２５は、ブロック輝度情報ＬＢと閾値ＬＢthとの比較結果に基づいて、ブロックＢごとに累積値Ｄを求める。具体的には、累積マップ生成部２５は、ブロック輝度情報ＬＢが閾値ＬＢthよりも大きい場合には、そのブロックＢにおける累積値Ｄをインクリメントする。また、累積マップ生成部２５は、ブロック輝度情報ＬＢが閾値ＬＢth以下である場合には、そのブロックＢにおける累積値Ｄを”０”（ゼロ）に設定（リセット）する。
【００３１】
また、累積マップ生成部２５は、表示装置１の電源投入時において、設定領域記憶部２４に記憶された設定領域Ｒsetに基づいて、累積マップＭＡＰを構成する各累積値Ｄの初期値を設定する。具体的には、累積マップ生成部２５は、設定領域Ｒset外のブロックＢにおける累積値Ｄを“０”（ゼロ）に設定するとともに、設定領域Ｒsetとして設定されたブロックＢにおける累積値Ｄを、”０”よりも大きい所定値Ｄ０に設定する。これにより、累積値Ｄは、設定領域Ｒset外のブロックＢでは、０からインクリメントされ、設定領域Ｒsetに係るブロックＢでは、所定値Ｄ０からインクリメントされるようになっている。
【００３２】
ゲイン算出部２６は、累積マップ生成部２５が生成した累積マップＭＡＰに基づいて、画素ＰixごとのゲインＧを求める。具体的には、ゲイン算出部２６は、累積マップＭＡＰの各累積値Ｄを所定の閾値Ｄthと比較し、累積値Ｄが閾値Ｄthよりも大きいブロックＢに属する画素ＰixのゲインＧを、他のブロックＢに属する画素ＰixのゲインＧに比べて低い値に設定する。その際、ゲイン算出部２６は、後述するように、ローパスフィルタにより、画素Ｐix間でなめらかにゲインＧが変化するように、ゲインＧを設定するようになっている。
【００３３】
信号処理部２７は、画像信号Ｓｐ０に含まれる輝度信号ＩＲ，ＩＧ，ＩＢに対して、ゲインＧを画素Ｐixごとに乗算して、画像信号Ｓｐ１として出力するものである。
【００３４】
このような構成により、画像処理部２０では、長時間継続して高輝度で発光する画素ＰixのゲインＧが低い値に設定されるため、ＥＬ表示部３０において焼き付きが生じるおそれを低減することができる。また、表示装置１の電源投入時において、設定領域Ｒsetとして設定されたブロックＢでの累積値Ｄを、所定値Ｄ０に設定することにより、後述するように、焼き付きが生じるおそれをさらに低減することができる。
【００３５】
ここで、輝度取得部２１，ブロック処理部２２、判定部２３、設定領域記憶部２４、累積マップ生成部２５、およびゲイン算出部２６は、本開示における「決定部」の一具体例に対応する。累積値Ｄは、本開示における「累積輝度値」の一具体例に対応する。信号処理部２７は、本開示における「補正部」の一具体例に対応する。設定領域Ｒsetは、本開示における「部分領域」の一具体例に対応する。
【００３６】
［動作および作用］
続いて、本実施の形態の表示装置１の動作および作用について説明する。
【００３７】
（全体動作概要）
まず、図１等を参照して、表示装置１の全体動作概要を説明する。入力部１０は、画像信号Ｓｐ０を出力する。輝度取得部２１は、画像信号Ｓｐ０に基づいて、画素Ｐixごとの輝度情報Ｌを取得する。ブロック処理部２２は、画素Ｐixごとの輝度情報Ｌに基づいて、ブロックＢごとのブロック輝度情報ＬＢを求める。判定部２３は、ブロックＢごとに、ブロック輝度情報ＬＢを所定の閾値ＬＢthと比較する。累積マップ生成部２５は、判定部２３から供給される、ブロック輝度情報ＬＢと閾値ＬＢthとの比較結果に基づいて、ブロックＢごとに累積値Ｄを求め、その累積値Ｄからなる累積マップＭＡＰを生成する。また、累積マップ生成部２５は、電源投入時において、設定領域記憶部２４に記憶された設定領域Ｒsetに基づいて、その設定領域Ｒset以外のブロックＢにおける累積値Ｄを“０”に設定するとともに、その設定領域Ｒsetに係るブロックＢにおける累積値Ｄを所定値Ｄ０に設定する。ゲイン算出部２６は、累積マップＭＡＰに基づいて、画素ＰixごとのゲインＧを求める。信号処理部２７は、画像信号Ｓｐ０に含まれる輝度信号ＩＲ，ＩＧ，ＩＢに対して、ゲインＧを画素Ｐixごとに乗算して、画像信号Ｓｐ１として出力する。ＥＬ表示部３０は、画像信号Ｓｐ１に基づいて表示動作を行う。
【００３８】
（詳細動作）
図７は、累積マップＭＡＰにおける累積値Ｄの一例を表すものである。図７において、実線は、設定領域Ｒsetに属するあるブロックＢＡでの累積値ＤＡを示し、破線は、設定領域Ｒsetに属しないあるブロックＢＢでの累積値ＤＢを示している。なお、以下では、一例として、時刻表示のケース（図４，５）を用いて詳細に説明する。
【００３９】
まず、タイミングｔ０において、ユーザが表示装置１の電源を投入する。このとき、累積マップ生成部２５は、設定領域記憶部２４に記憶された設定領域Ｒsetに属するブロックＢでの累積値Ｄを所定値Ｄ０に設定し、設定領域Ｒset外のブロックＢでの累積値Ｄを“０”（ゼロ）に設定する。これにより、図７に示したように、ブロックＢＡにおける累積値ＤＡは所定値Ｄ０に設定され、ブロックＢＢにおける累積値ＤＢは“０”に設定される。
【００４０】
その後、タイミングｔ０〜ｔ２の期間において、表示画面では図４に示したように時刻表示が行われる（時刻表示期間Ｐ０）。これにより、判定部２３は、ブロックＢＡでのブロック輝度情報ＬＢが閾値ＬＢthよりも大きいと判定し、累積マップ生成部２５は、ブロックＢＡにおける累積値ＤＡをインクリメントする。その後、累積値ＤＡは、図７に示したように、継続してインクリメントされて増加していき、タイミングｔ１において閾値Ｄthを超える。そして、ゲイン算出部２６は、タイミングｔ１〜ｔ２の期間において、ブロックＢＡに属する画素ＰixのゲインＧを低い値に設定する。
【００４１】
図８は、ゲイン算出部２６の動作を表すものである。ゲイン算出部２６は、画素ＰixごとのゲインＧを算出する際、図８に示したように、ローパスフィルタにより、画素Ｐix間でなめらかにゲインＧが変化するようにする。これにより、観察者が、ＥＬ表示部３０に表示される画像を観察する際、不自然に感じるおそれを低減することができる。
【００４２】
このようにして、ゲイン算出部２６は、ブロックＢＡにおいて、ゲインＧを低い値に設定する。これにより、ブロックＢＡに属する画素Ｐixでは発光輝度が抑制されるため、焼き付きが生じるおそれを低減することができる。
【００４３】
次に、タイミングｔ２において、表示画面では時刻表示が一旦消える。これにより、判定部２３は、ブロックＢＡでのブロック輝度情報ＬＢが閾値ＬＢth以下であると判定し、累積マップ生成部２５は、ブロックＢＡにおける累積値ＤＡを“０”にリセットする。
【００４４】
その後、タイミングｔ３において次の時刻表示期間Ｐ０が開始し、時刻表示が再度開始すると、判定部２３は、ブロックＢＡでのブロック輝度情報ＬＢが閾値ＬＢthより大きいと判定し、累積マップ生成部２５は、ブロックＢＡにおける累積値ＤＡを継続してインクリメントする。そして、タイミングｔ４において、時刻表示が再度消えると、判定部２３は、ブロックＢＡでのブロック輝度情報ＬＢが閾値ＬＢth以下であると判定し、累積マップ生成部２５は、ブロックＢＡにおける累積値ＤＡを“０”にリセットする。
【００４５】
一方、ブロックＢＢでは、この例では、ブロック輝度情報ＬＢが閾値ＬＢthよりも大きい状態が継続しないため、累積値ＤＢは閾値Ｄthに到達することはない。よって、ブロックＢＢに属する画素ＰixのゲインＧは１を維持する。これにより、ブロックＢＢに属する画素Ｐixでは発光輝度が抑制されずにそのまま表示が行われる。
【００４６】
このように、表示装置１では、ブロック輝度情報ＬＢが継続的に閾値ＬＢthを超えるブロックＢ（例えばブロックＢＡ）において、画素ＰixのゲインＧを低い値に設定することにより、発光輝度を抑制する。これにより、それらの画素Ｐixにおいて、焼き付きが生じるおそれを効果的に低減することができる。
【００４７】
すなわち、例えば特許文献１において開示された表示装置では、表示部の全画素のうち、累積発光量が少ない画素の輝度信号を補正し、画素の劣化の程度をそろえるように制御する。よって、表示部の全画素の発光特性が劣化してしまうおそれがある。
【００４８】
一方、表示装置１では、継続的に高輝度になる画素の発光輝度を抑制するようにしたので、表示部の全画素の発光特性が劣化させるおそれを低減しつつ、焼き付きが生じるおそれを低減することができる。
【００４９】
また、累積マップ生成部２５は、電源投入時において、設定領域記憶部２４に記憶された設定領域Ｒsetに属するブロックＢでの累積値Ｄを、”０”（ゼロ）よりも大きい所定値Ｄ０に設定する。これにより、表示装置１では、発光輝度が抑制され始めるまでの時間（タイミングｔ０〜ｔ１）をより短くすることができ、焼き付きが生じるおそれをさらに低減することができる。
【００５０】
すなわち、この例に示した時計表示の他、例えばテロップや字幕、テレビのチャンネル表示など、高輝度が継続する表示が存在する。このような表示が行われる画像領域では、一般に、焼き付きが生じやすい。表示装置１では、このような領域を設定領域Ｒsetとしてあらかじめ設定し、この領域については、発光輝度を抑制するための判断をより短い時間で行うようにしている。これにより、特許文献２のように、表示部の全画素について同様に処理する場合に比べて、設定領域Ｒsetにおける焼き付きが生じるおそれをより低減することができる。
【００５１】
［効果］
以上のように本実施の形態では、ブロック輝度情報が継続的に閾値ＬＢthを超えるブロックにおいて発光輝度を抑制したので、焼き付きが生じるおそれを低減することができる。
【００５２】
また、本実施の形態では、電源投入時において、設定領域に属するブロックでの累積値を所定値Ｄ０に設定するようにしたので、設定領域に属するブロックにおいて焼き付きが生じるおそれをさらに低減することができる。
【００５３】
［変形例１−１］
上記実施の形態では、累積マップ生成部２５は、電源投入時において、設定領域Ｒsetに属するブロックＢでの累積値Ｄを所定値Ｄ０に設定したが、これに限定されるものではなく、これに代えて、例えば、図９に示したように、所定の時間帯内において、定期的に累積値Ｄを所定値Ｄ０に設定するようにしてもよい。この例では、あらかじめ設定された設定期間Ｐsetにおいて、定期的に（例えばタイミングｔ１１，ｔ１５において）、設定領域Ｒsetに属するブロックＢにおける累積値Ｄ（累積値ＤＡ）を所定値Ｄ０に設定している。時刻表示の例では、設定期間Ｐsetを、時刻表示が行われる時間帯（例えば午前６時〜９時）にあらかじめ設定し、設定領域Ｒsetを、時刻表示が行われる画面領域にあらかじめ設定することができる。これにより、特に設定期間Ｐsetにおいて、焼き付きが生じるおそれを低減することができる。なお、このような定期的な動作は、例えば、画像処理部２０を制御する、図示しないマイクロコントローラからのトリガにより行われるようにしてもよい。
【００５４】
［変形例１−２］
上記実施の形態では、画像信号Ｓｐ０がチューナ１１から供給されたものであるか、インタフェース部１２を介して供給されたものであるかに係らず、また、チューナ１１から供給された場合にはどのチャンネルの映像であるかに係らず、同じ設定領域Ｒsetを用いるようにしたが、これに限定されるものではない。以下に、本変形例について詳細に説明する。
【００５５】
図１０は、本変形例に係る表示装置１Ｂの一構成例を表すものである。表示装置１Ｂは、入力選択部８と、画像処理部２０Ｂとを備えている。入力選択部８は、チューナ１１に対して選択すべきチャンネルを指示し、切換部１０に対して、チューナ１１もしくはインタフェース部１２のどちらから出力された画像信号を選択するかを指示するものである。また、入力選択部８は、これらの指示情報を、設定領域記憶部２４Ｂ（後述）にも供給するようになっている。画像処理部２０Ｂは、設定領域記憶部２４Ｂを有している。設定領域記憶部２４Ｂは、この例では、複数の設定領域Ｒsetを記憶しているものである。具体的には、設定領域記憶部２４Ｂは、例えば、チャンネルごとの設定領域Ｒsetや、入力系統ごとの設定領域Ｒsetを記憶している。そして、設定領域記憶部２４Ｂは、入力選択部８からの指示に応じて、それらの複数の設定領域Ｒsetのうちの使用する設定領域Ｒsetを選択するようになっている。
【００５６】
これにより、表示装置１Ｂでは、選択したチャンネルや入力系統に応じて、設定領域Ｒsetを変更することができる。例えば、映画専門のチャンネルであれば、字幕が表示される部分を設定領域Ｒsetに設定し、テレビショッピングのチャンネルであれば、商品名表示や価格表示など、情報が長時間にわたり固定的に表示される部分を設定領域Ｒsetに設定することができる。また、例えば、パソコンから供給された映像を表示する場合には、長時間にわたり固定的に表示される部分（アイコンなど）を設定領域Ｒsetに設定することができる。
【００５７】
［変形例１−３］
上記実施の形態では、ゲイン算出部２６は、いずれかのブロックＢで累積値Ｄが閾値Ｄthを超える場合には、そのブロックＢに属する画素Ｐixに対するゲインＧを下げるようにしたが、これに限定されるものではなく、これに代えて、例えば、そのブロックＢに属する画素Ｐixだけでなく全ての画素Ｐixに対するゲインＧを下げるようにしてもよい。
【００５８】
＜２．第２の実施の形態＞
次に、第２の実施の形態に係る表示装置２について説明する。本実施の形態は、累積マップ生成部における、設定領域Ｒsetに属するブロックＢでの累積値Ｄに対する処理方法が、上記第１の実施の形態と異なるものである。その他の構成は、上記第１の実施の形態（図１）と同様である。なお、上記第１の実施の形態に係る表示装置１と実質的に同一の構成部分には同一の符号を付し、適宜説明を省略する。
【００５９】
表示装置２は、図１に示したように、画像処理部４０を備えている。画像処理部４０は累積マップ生成部４５を有している。累積マップ生成部４５は、設定領域Ｒsetに属するブロックＢにおいて、ブロック輝度情報ＬＢが閾値ＬＢthより大きい場合には、累積値Ｄを複数ずつ（この例では２ずつ）増加させるように構成したものである。すなわち、上記第１の実施の形態に係る表示装置１では、電源投入時において、設定領域Ｒsetに属するブロックＢでの累積値Ｄを所定値Ｄ０に設定し、その後、これらのブロックＢにおいてブロック輝度情報ＬＢが閾値ＬＢthよりも大きい場合には、累積値Ｄを１ずつ増加させるようにした。一方、本実施の形態に係る表示装置２では、電源投入時には、全てのブロックＢを“０”（ゼロ）に設定（リセット）する。そして、設定領域Ｒsetに属するブロックＢでのブロック輝度情報ＬＢが閾値ＬＢthよりも大きい場合には、その後にリセットされるまで、累積値Ｄを複数ずつ（この例では２ずつ）増加させるようにしている。
【００６０】
図１１は、累積マップＭＡＰにおける累積値Ｄの一例を表すものである。以下、一例として、時刻表示のケース（図４，５）を用いて詳細に説明する。
【００６１】
まず、タイミングｔ２０において、ユーザが表示装置１の電源を投入する。このとき、累積マップ生成部４５は、全てのブロックＢでの累積値Ｄを“０”（ゼロ）に設定する。
【００６２】
その後、タイミングｔ２０〜ｔ２２の期間において、表示画面では図４に示したように時刻表示が行われる（時刻表示期間Ｐ０）。これにより、判定部２３は、ブロックＢＡでのブロック輝度情報ＬＢが閾値ＬＢthよりも大きいと判定し、累積マップ生成部４５は、ブロックＢＡにおける累積値ＤＡを２ずつ増加させる。その後、累積値ＤＡは、図１１に示したように、継続して２ずつ増加していき、タイミングｔ２１において閾値Ｄthを超える。そして、ゲイン算出部２６は、タイミングｔ２１〜ｔ２２の期間において、ブロックＢＡに属する画素ＰixのゲインＧを低い値に設定する。これにより、ブロックＢＡに属する画素Ｐixでは発光輝度が抑制されるため、焼き付きが生じるおそれを低減することができる。
【００６３】
次に、タイミングｔ２２において、表示画面では時刻表示が一旦消える。これにより、判定部２３は、ブロックＢＡでのブロック輝度情報ＬＢが閾値ＬＢth以下であると判定し、累積マップ生成部４５は、ブロックＢＡにおける累積値ＤＡを“０”にリセットする。
【００６４】
その後、タイミングｔ２３において次の時刻表示期間Ｐ０が開始し、時刻表示が再度開始すると、判定部２３は、ブロックＢＡでのブロック輝度情報ＬＢが閾値ＬＢthより大きいと判定し、累積マップ生成部４５は、ブロックＢＡにおける累積値ＤＡを継続して１ずつ増加させる。すなわち、タイミングｔ２２において一回リセットされた後は、累積値ＤＡは１ずつ増加する。そして、タイミングｔ２４において、時刻表示が再度消えると、判定部２３は、ブロックＢＡでのブロック輝度情報ＬＢが閾値ＬＢth以下であると判定し、累積マップ生成部４５は、ブロックＢＡにおける累積値ＤＡを“０”にリセットする。
【００６５】
以上のように、本実施の形態では、設定領域に属するブロックにおいて、ブロック輝度情報が閾値ＬＢthより大きい場合には、累積値を複数ずつ増加させるようにしたので、設定領域に属するブロックにおいて焼き付きが生じるおそれをさらに低減することができる。その他の効果は、上記第１の実施の形態の場合と同様である。
【００６６】
［変形例２−１］
上記実施の形態では、累積マップ生成部４５は、設定領域Ｒsetに属するブロックＢにおいて、電源投入時に累積値Ｄがリセットされてから次にリセットされるまでの間、累積値Ｄを複数ずつ増加させるようにしたが、これに限定されるものではなく、これに代えて、例えば、図１２に示したように、所定の時間帯内において、累積値Ｄを複数ずつ増加させるようにしてもよい。この例では、あらかじめ設定された設定期間Ｐsetにおいて、設定領域Ｒsetに属するブロックＢにおける累積値Ｄ（累積値ＤＡ）を複数ずつ増加させるようにしている。例えば、時刻表示の例では、変形例１−１と同様に、設定期間Ｐsetを、時刻表示が行われる時間帯（例えば午前６時〜９時）にあらかじめ設定し、設定領域Ｒsetを、時刻表示が行われる画面領域にあらかじめ設定することができる。これにより、特に設定期間Ｐsetにおいて、焼き付きが生じるおそれを低減することができる。
【００６７】
［変形例２−２］
また、上記実施の形態において、変形例１−２と同様に、選択したチャンネルや入力系統に応じて、設定領域Ｒsetを変更するようにしてもよい。
【００６８】
［変形例２−３］
また、上記実施の形態において、変形例１−３と同様に、ゲイン算出部を、いずれかのブロックＢで累積値Ｄが閾値Ｄthを超える場合に、全ての画素Ｐixに対するゲインＧを下げるように構成してもよい。
【００６９】
＜３．第３の実施の形態＞
次に、第３の実施の形態に係る表示装置３について説明する。本実施の形態は、第１の実施の形態に係る表示装置１において、設定領域記憶部２４に代えて、累積マップＭＡＰを記憶するメモリを備えたものである。その他の構成は、上記第１の実施の形態（図１）と同様である。なお、上記第１の実施の形態に係る表示装置１と実質的に同一の構成部分には同一の符号を付し、適宜説明を省略する。
【００７０】
図１３は、本実施の形態に係る表示装置３の一構成例を表すものである。表示装置３は、メモリ６０と、画像処理部５０とを備えている。
【００７１】
メモリ６０は、累積マップＭＡＰを記憶するものである。この例では、メモリ６０を、画像処理部５０とは別のチップとして構成している。なお、これに限定されるものではなく、これに代えて、例えば、メモリ６０と画像処理部５０とを同じチップ内に構成してもよい。
【００７２】
画像処理部５０は、累積マップ生成部５５を有している。累積マップ生成部５５は、上記第１の実施の形態に係る累積マップ生成部２５と同様に、判定部２３から供給される、ブロック輝度情報ＬＢと閾値ＬＢthとの比較結果に基づいて、累積マップＭＡＰを生成するものである。そして、累積マップ生成部５５は、生成した累積マップＭＡＰをメモリ６０に記憶するようになっている。
【００７３】
また、累積マップ生成部５５は、表示装置３の電源投入時において、メモリ６０に記憶された累積マップＭＡＰを読み込む機能をも有している。このメモリ６０に記憶された累積マップＭＡＰは、表示装置３が前回に動作していたときに生成されたものである。すなわち、累積マップ生成部５５は、表示装置３が前回に動作していたときの累積マップＭＡＰの累積値Ｄを初期値として、その後累積マップＭＡＰを生成する。
【００７４】
この構成により、表示装置３では、上記第１の実施の形態に係る表示装置１と同様に、焼き付きが生じるおそれを低減することができる。すなわち、例えば前回の動作時において時刻表示が行われていたブロックＢ（ブロックＢＡ）では、累積値Ｄ（累積値ＤＡ）が高い値になり、その高い値がメモリ６０に記憶される。そして、ユーザが表示装置３の電源を再投入すると、累積マップ生成部５５は、このブロックＢＡの累積値ＤＡの初期値をこの高い値に設定する。よって、電源再投入後においてもこのブロックＢＡにおいて時刻表示が行われている場合には、判定部２３は、このブロックＢＡでのブロック輝度情報ＬＢが閾値ＬＢthよりも大きいと判定し、累積マップ生成部５５は、この初期値から累積値ＤＡをインクリメントする。これにより、ブロックＢＡでは、発光輝度を抑制するための判断をより短い時間で行うことができるため、焼き付きが生じるおそれをより低減することができる。
【００７５】
以上のように、本実施の形態では、累積マップを記憶するメモリを備え、電源投入時にこのメモリに記憶された累積マップを読み込むようにしたので、焼き付きが生じるおそれをより低減することができる。その他の効果は、上記第１の実施の形態の場合と同様である。
【００７６】
［変形例３−１］
上記実施の形態に、変形例１−１〜１−３を適用してもよい。
【００７７】
＜４．第４の実施の形態＞
次に、第４の実施の形態に係る表示装置４について説明する。本実施の形態は、第２の実施の形態に係る表示装置２において、設定領域記憶部２４に代えて、累積マップＭＡＰを記憶するメモリを備えたものである。その他の構成は、上記第２の実施の形態等（図１）と同様である。なお、上記第２の実施の形態に係る表示装置２等と実質的に同一の構成部分には同一の符号を付し、適宜説明を省略する。
【００７８】
図１３に示したように、表示装置４は、メモリ６０と、画像処理部７０を備えている。画像処理部７０は、累積マップ生成部７５を有している。累積マップ生成部７５は、上記第２の実施の形態に係る累積マップ生成部４５と同様に、判定部２３から供給される、ブロック輝度情報ＬＢと閾値ＬＢthとの比較結果に基づいて、累積マップＭＡＰを生成するものである。そして、累積マップ生成部７５は、生成した累積マップＭＡＰをメモリ６０に記憶するようになっている。
【００７９】
また、累積マップ生成部７５は、表示装置４の電源投入時において、メモリ６０に記憶された累積マップＭＡＰにおけるブロックＢごとの累積値Ｄに基づいて、ブロック輝度情報ＬＢが閾値ＬＢthよりも大きい場合に累積値Ｄの増加させる際の増分設定を行うようになっている。具体的には、メモリ６０に記憶された累積マップＭＡＰにおける累積値Ｄが所定値よりも大きいブロックＢでは、累積値Ｄを２つずつ増加させるように設定し、メモリ６０に記憶された累積マップＭＡＰにおける累積値Ｄが所定値以下であるブロックＢでは、累積値Ｄを１つずつ増加させるように設定することができる。
【００８０】
この構成により、表示装置４では、上記第２の実施の形態に係る表示装置２と同様に、焼き付きが生じるおそれを低減することができる。すなわち、例えば前回の動作時において時刻表示が行われていたブロックＢ（ブロックＢＡ）では、累積値Ｄ（累積値ＤＡ）が高い値になり、その高い値がメモリ６０に記憶される。そして、ユーザが表示装置４の電源を再投入すると、累積マップ生成部７５は、全てのブロックＢにおける累積値Ｄの初期値を０にするとともに、このブロックＢＡにおいて累積値ＤＡを２つずつ増加させるように設定する。よって、電源再投入後においてもブロックＢＡにおいて時刻表示が行われている場合には、判定部２３は、このブロックＢＡでのブロック輝度情報ＬＢが閾値ＬＢthよりも大きいと判定し、累積マップ生成部７５は、このブロックＢＡにおいて累積値ＤＡを２つずつ増加させる。これにより、ブロックＢＡでは、発光輝度を抑制するための判断をより短い時間で行うことができるため、焼き付きが生じるおそれをより低減することができる。
【００８１】
以上のように、本実施の形態では、累積マップを記憶するメモリを備え、電源投入時にこのメモリに記憶された累積マップに基づいて、累積値の増加させる際の増分設定を行うようにしたので、焼き付きが生じるおそれをより低減することができる。その他の効果は、上記第２の実施の形態の場合と同様である。
【００８２】
［変形例４−１］
上記実施の形態に、変形例１−１〜１−３を適用してもよい。
【００８３】
＜５．第５の実施の形態＞
次に、第５の実施の形態に係る表示装置５について説明する。本実施の形態は、第１の実施の形態に係る累積マップ生成部２５において、ブロックＢの構成を動的に変更可能に構成したものである。その他の構成は、上記第１の実施の形態等（図１）と同様である。なお、上記第１の実施の形態に係る表示装置１と実質的に同一の構成部分には同一の符号を付し、適宜説明を省略する。
【００８４】
図１に示したように、表示装置５は、画像処理部８０を備えている。画像処理部８０は、累積マップ生成部８５を有している。累積マップ生成部８５は、上記第１の実施の形態に係る累積マップ生成部２５と同様に、判定部２３から供給される、ブロック輝度情報ＬＢと閾値ＬＢthとの比較結果に基づいて、累積マップＭＡＰを生成するものである。
【００８５】
その際、累積マップ生成部８５は、ブロックＢの構成を動的に変更できるようになっている。具体的には、累積マップ生成部８５は、各ブロックＢにおける累積値Ｄの変化に基づいて、ブロックＢ間の相間関係を検出することにより、ブロックＢの構成を動的に変更できるようになっている。以下に、累積マップ生成部８５の動作を詳細に説明する。
【００８６】
図１４は、累積マップＭＡＰにおける累積値Ｄの変化の一例を表すものである。この例では、隣接する９つのブロックＢ（領域Ｗ２）における累積値Ｄが、同じように増加している。このように、例えば、隣接する複数のブロックＢにおける累積値Ｄが、継続して同じように増加する場合には、これらのブロックＢは、上述した時刻表示などの１つの表示に係るものと考えられる。累積マップ生成部８５は、このようにして、ブロックＢ間の相間関係を検出する。
【００８７】
図１５は、累積マップ生成部８５の動作を表すものである。累積マップ生成部８５は、互いに相間があるブロックＢ（領域Ｗ２）を結合し、結合ブロックＣＢを生成する。そして、累積マップ生成部８５は、結合ブロックＣＢ内の１つのブロックＢ（ブロックＢ１）についてのみ累積値Ｄ（累積値Ｄ１）を算出し、この累積値Ｄ１を、結合ブロックＣＢ内の全てのブロックＢの累積値Ｄとする。このようにして、累積マップ生成部８５は、累積マップＭＡＰを生成する。
【００８８】
そして、例えば時刻表示などが終了し、累積値Ｄ１が“０”（ゼロ）にリセットされた際に、結合ブロックＣＢの結合が解除され、累積マップ生成部８５は、９つの独立したブロックＢについて累積値Ｄを算出する。
【００８９】
このように、累積マップ生成部８５では、互いに相間があるブロックＢを結合して結合ブロックＣＢを生成し、その結合ブロックＣＢ内の１つのブロックＢ（ブロックＢ１）についてのみ累積値Ｄ（累積値Ｄ１）を算出する。これにより、演算対象となるブロックＢの数を減らすことができるため、演算処理の負荷を軽減することができる。
【００９０】
以上のように、本実施の形態では、ブロックＢの構成を動的に変更できるようにしたので、演算処理の負荷を軽減することができる。その他の効果は、上記第２の実施の形態の場合と同様である。
【００９１】
［変形例５−１］
上記実施の形態では、第１の実施の形態に係る累積マップ生成部２５において、ブロックＢの構成を動的に変更可能に構成したが、これに限定されるものではなく、これに代えて、第２〜第４の実施の形態に係る累積マップ生成部４５，５５，７５において、ブロックＢの構成を動的に変更可能に構成してもよい。
【００９２】
＜６．適用例＞
次に、上記実施の形態および変形例で説明した表示装置の適用例について説明する。
【００９３】
図１６は、上記実施の形態等の表示装置が適用されるテレビジョン装置の外観を表すものである。このテレビジョン装置は、例えば、フロントパネル５１１およびフィルターガラス５１２を含む映像表示画面部５１０を有している。このテレビジョン装置は、上記実施の形態等に係る表示装置により構成されている。
【００９４】
上記実施の形態等の表示装置は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の表示装置は、映像を表示するあらゆる分野の電子機器に適用することが可能である。
【００９５】
以上、いくつかの実施の形態および変形例、ならびに電子機器への適用例を挙げて本技術を説明したが、本技術はこれらの実施の形態等には限定されず、種々の変形が可能である。
【００９６】
例えば、上記の各実施の形態では、画素Ｐixは、赤色（Ｒ）、緑色（Ｇ）、および青色（Ｂ）の３つのサブ画素ＳＰixを有するよう構成したが、これに限定されるものではなく、これに代えて、例えば、図１７に示したように、赤色（Ｒ）、緑色（Ｇ）、青色（Ｂ）、および白色（Ｗ）の４つのサブ画素ＳＰixを有するように構成してもよい。この例では、画素Ｐixにおいて、これらの４つのサブ画素ＳＰixを２行２列で配置している。具体的には、画素Ｐixにおいて、左上に赤色（Ｒ）のサブ画素ＳＰixを配置し、右上に緑色（Ｇ）のサブ画素ＳＰixを配置し、左下に白色（Ｗ）のサブ画素ＳＰixを配置し、右下に青色（Ｂ）のサブ画素ＳＰixを配置している。
【００９７】
また、例えば、上記の各実施の形態では、ＥＬ表示装置に本技術を適用したが、これに限定されるものではなく、液晶表示装置やプラズマ表示装置など、他の種類の表示装置に本技術を適用してもよい。
【００９８】
なお、本技術は以下のような構成とすることができる。
【００９９】
（１）画素輝度値に基づいて、画像領域において高輝度が継続している画素の累積輝度値を求め、その累積輝度値に基づいて補正対象画素を決定する決定部と、
前記補正対象画素における前記画素輝度値を補正する補正部と、
前記補正部において補正された画素輝度値に基づいて表示を行う表示部と
を備え、
前記決定部は、前記画像領域内の一部の部分領域とそれ以外の領域とで、互いに異なる方法により前記累積輝度値を求める
表示装置。
【０１００】
（２）前記累積輝度値は、前記画像領域を複数に区分してなるブロックごとの値であり、
前記補正対象画素は、前記累積輝度値が第１のしきい値を超えるブロックに属する複数の画素である
前記（１）に記載の表示装置。
【０１０１】
（３）前記決定部は、各ブロックにおいて、画素輝度値の合計値を求め、その合計値が第２のしきい値より大きい場合に前記累積輝度値を増加させ、その合計値が前記第２のしきい値以下の場合に前記累積輝度値をリセットする
前記（２）に記載の表示装置。
【０１０２】
（４）前記決定部は、各ブロックにおいて、画素輝度値の最大値を求め、その最大値が第２のしきい値より大きい場合に前記累積輝度値を増加させ、その最大値が前記第２のしきい値以下の場合に前記累積輝度値をリセットする
前記（２）に記載の表示装置。
【０１０３】
（５）前記部分領域は、前記ブロックを単位としてあらかじめ設定されたものである
前記（２）から（４）のいずれかに記載の表示装置。
【０１０４】
（６）前記決定部は、前記累積輝度値を増加させる際、前記部分領域において、その部分領域以外の領域よりも多く増加させる
前記（５）に記載の表示装置。
【０１０５】
（７）前記決定部は、電源投入時において、前記部分領域における前記累積輝度値を所定の値に設定する
前記（５）に記載の表示装置。
【０１０６】
（８）各ブロックにおける前記累積輝度値を記憶するメモリをさらに備え、
前記部分領域は、前記メモリに記憶された累積輝度値により定まるものである
前記（２）から（４）のいずれかに記載の表示装置。
【０１０７】
（９）前記決定部は、電源投入時において、各ブロックにおける前記累積輝度値を、前記メモリに記憶された累積輝度値に設定する
前記（８）に記載の表示装置。
【０１０８】
（１０）前記決定部は、前記メモリに記憶された累積輝度値が第３のしきい値より大きいブロックを前記部分領域として取得し、前記累積輝度値を増加させる際、前記部分領域において、その部分領域以外の領域よりも多く増加させる
前記（８）に記載の表示装置。
【０１０９】
（１１）前記決定部は、前記ブロック間の累積輝度値の相間関係を検出し、互いに相間があるブロックについては、そのいずれか１つのブロックにおいて前記累積輝度値を求める
前記（２）から（１０）のいずれかに記載の表示装置。
【０１１０】
（１２）前記決定部は、所定の時間帯において、前記部分領域とそれ以外の領域とで、互いに異なる方法で前記累積輝度値を求める
前記（１）から（１１）のいずれかに記載の表示装置。
【０１１１】
（１３）前記決定部は、前記部分領域を複数有し、その複数の部分領域のうちの１つに基づいて動作する
前記（１）から（１２）のいずれかに記載の表示装置。
【０１１２】
（１４）チューナをさらに備え、
前記決定部は、前記チューナにより選択されたチャンネルに応じて前記複数の部分領域のうちの１つを選択する
前記（１３）に記載の表示装置。
【０１１３】
（１５）１または複数の入力インタフェースをさらに備え、
選択された入力インタフェースに応じて前記複数の部分領域のうちの１つを選択する
前記（１３）に記載の表示装置。
【０１１４】
（１６）前記補正部は、前記補正対象画素における画素輝度値を低下させる補正を行う
前記（１）から（１５）のいずれかに記載の表示装置。
【０１１５】
（１７）画素輝度値に基づいて、画像領域において高輝度が継続している画素の累積輝度値を求め、その累積輝度値に基づいて補正対象画素を決定する決定部と、
前記補正対象画素における前記画素輝度値を補正する補正部と
を備え、
前記決定部は、前記画像領域内の一部の部分領域とそれ以外の領域とで、互いに異なる方法により前記累積輝度値を求める
画像処理装置。
【０１１６】
（１８）画素輝度値に基づいて、画像領域内の一部の部分領域とそれ以外の領域とで互いに異なる方法により、高輝度が継続している画素の累積輝度値を求め、
前記累積輝度値に基づいて補正対象画素を決定し、
前記補正対象画素における前記画素輝度値を補正する
画像処理方法。
【符号の説明】
【０１１７】
１〜５…表示装置、８…入力選択部、９…アンテナ、１０…入力部、１１…チューナ、１２…インタフェース部、１３…切り換え部、２０，２０Ｂ，４０，５０，７０，８０…画像処理部、２１…輝度取得部、２２…ブロック処理部、２３…判定部、２４，２４Ｂ…設定領域記憶部、２５，４５，５５，７５，８５…累積マップ生成部、２６…ゲイン算出部、２７…信号処理部、３０…ＥＬ表示部、３１…垂直駆動部、３２…水平駆動部、３３…画素アレイ部、６０…メモリ、Ｂ，ＢＡ，ＢＢ…ブロック、ＣＢ…結合ブロック、Ｄ，ＤＡ，ＤＢ…累積値、Ｄth…閾値、Ｇ…ゲイン、ＧＣＬ…ゲート線、ＭＡＰ…累積マップ、Ｐix…画素、Ｐset…設定期間、Ｒset…設定領域、ＳＧＬ…データ線、ＳＰix…サブ画素、Ｓｐ０，Ｓｐ１…画像信号。
【図１】
2014026003.tif 000003
【図２】
2014026003.tif 000004
【図３】
2014026003.tif 000005
【図４】
2014026003.tif 000006
【図５】
2014026003.tif 000007
【図６】
2014026003.tif 000008
【図７】
2014026003.tif 000009
【図８】
2014026003.tif 000010
【図９】
2014026003.tif 000011
【図１０】
2014026003.tif 000012
【図１１】
2014026003.tif 000013
【図１２】
2014026003.tif 000014
【図１３】
2014026003.tif 000015
【図１４】
2014026003.tif 000016
【図１５】
2014026003.tif 000017
【図１６】
2014026003.tif 000018
【図１７】
2014026003.tif 000019